(57)【要約】【課題】移動体受信機等において、現在地が放送タワーの近傍地域であっても、最適な受信状態を確保することを目的とする。【解決手段】信号を受信するためのアンテナ１０１と、調整部１０２ａを有するアンテナアンプ１０２と、受信した種々の信号のうち出力を希望する信号を出力するためのチューナー１０３とを有する移動体受信機において、現在地が特定の周波数を送信する放送タワーの近傍地域であるか否かを判断するナビゲーション１０４を備え、前記調整部１０２ａは、現在地がナビゲーション１０４によって前記放送タワーの近傍地域であると判断された場合に、アンテナアンプのゲインを下げることを特徴とする。【選択図】  図１
2004165786.tif 000002
【特許請求の範囲】
【請求項１】
信号を受信するためのアンテナと、調整部を有するアンテナアンプと、受信した種々の信号のうち出力を希望する信号を出力するためのチューナーとを有する移動体受信機において、
現在地が特定の周波数を送信する放送タワーの近傍地域であるか否かを判断する位置情報取得手段を備え、
前記調整部は、現在地が前記位置情報取得手段によって前記放送タワーの近傍地域であると判断された場合に、アンテナアンプのゲインを下げることを特徴とする移動体受信機。
【請求項２】
請求項１に記載の移動体受信機において、
前記放送タワーから発生する相互変調妨害信号近傍の相互変調妨害周波数帯域を受信しているか否かを検知する検知手段を備え、
前記調整部は、前記検知手段によって前記相互変調妨害周波数帯を受信していると検知された場合に、アンテナアンプのゲインを下げることを特徴とする移動体受信機。
【請求項３】
請求項２に記載の移動体受信機において、
各地の放送タワーの位置情報と、該放送タワーによって送信される信号の送信周波数情報を記憶した記憶部を備え、
前記位置情報取得手段は、前記位置情報に基づいて、現在地が前記放送タワーの近傍地域であるか否かを判断し、
前記検知手段は、前記送信周波数情報に基づいて、前記放送タワーから発生する相互変調妨害信号近傍の相互変調妨害周波数帯域を受信しているか否かを検知することを特徴とする移動体受信機。
【請求項４】
信号を受信するためのアンテナと、調整部を有するアンテナアンプと、受信した種々の信号のうち出力を希望する信号を出力するためのチューナーとを有する移動体受信機を制御するコンピュータを、
現在地が特定の周波数を送信する放送タワーの近傍地域であるか否かを判断する位置情報取得手段として機能させるとともに、
前記調整部は現在地が前記位置情報取得手段によって前記放送タワーの近傍地域であると判断された場合には、アンテナアンプのゲインを下げるように機能させることを特徴とする移動体受信処理用プログラム。
【請求項５】
請求項４に記載の移動体受信処理用プログラムにおいて、
前記コンピュータを、前記放送タワーから発生する相互変調妨害信号近傍の相互変調妨害周波数帯域を受信しているか否かを検知する検知手段として機能させるとともに、
前記調整部は前記検知手段によって前記相互変調妨害周波数帯を受信していると検知された場合にはアンテナアンプのゲインを下げるように機能させることを特徴とする移動体受信処理用プログラム。
【請求項６】
請求項５に記載の移動体受信処理用プログラムにおいて、
前記コンピュータを、各地の放送タワーの位置情報と、該放送タワーによって送信される信号の送信周波数情報を記憶した記憶部として機能させ、
前記位置情報取得手段は、前記位置情報に基づいて、現在地が前記放送タワーの近傍地域であるか否かを判断し、
前記検知手段は、前記送信周波数情報に基づいて、前記放送タワーから発生する相互変調妨害信号近傍の相互変調妨害周波数帯域を受信しているか否かを検知するよう機能させることを特徴とする移動体受信処理用プログラム。
【請求項７】
所望の第一周波数に同調して第一信号を受信する受信部と、
前記第一信号の信号レベルを検出するレベル検出部と、
前記信号レベルに応じて前記第一信号のゲインを調整する調整部と、
前記第一周波数近傍の前記妨害信号の存在を検出する妨害検出部と、
前記第一周波数近傍の前記妨害信号がなく、かつ、前記信号レベルが第一レベルに満たないとき、前記第一信号以外の妨害信号の有無に関わらず、前記第一信号の信号レベルが増加するように前記ゲインを調整する制御手段とを備えることを特徴とする移動体受信機。
【請求項８】
請求項７に記載の移動体受信機であって、
前記制御手段が、前記第一周波数近傍の前記妨害信号があり、かつ、前記信号レベルが前記第一レベルに満たないとき、前記第一信号の信号レベルが減少するように前記ゲインを調整することを特徴とする移動体受信機。
【請求項９】
請求項７又は８に記載の移動体受信機であって、
前記制御手段が、前記第一周波数近傍の前記妨害信号の有無に関わらず、前記信号レベルが所定レベル以上のとき、前記第一信号の信号レベルが減少するように前記ゲインを調整することを特徴とする移動体受信機。
【請求項１０】
請求項７乃至９に記載の移動体受信機であって、
前記妨害信号とは、前記第一周波数以外の第二周波数の第二信号に起因する相互変調妨害信号であって、
前記妨害検出部は、前記相互変調妨害信号の周波数が、前記第一周波数の近傍であり、且つ、前記相互変調妨害信号の信号レベルが第二レベル以上のとき、前記妨害信号を検出することを特徴とする移動体受信機。
【請求項１１】
請求項７乃至９に記載の移動体受信機であって、
前記妨害検出部は、現在位置が所定エリア内にあるかを検出することにより、
前記第一信号以外の妨害信号の存在を検出することを特徴とする移動体受信機。
【請求項１２】
請求項１１に記載の移動体受信機であって、
前記妨害検出部は、
複数の所定エリアと前記所定エリアの各々に対応する第二周波数を対応付けて記憶する記憶手段と、
現在位置がいずれの所定エリア内にあるか検出する現在位置検出手段と、
前記現在位置が属する所定エリアに対応付けられた第二周波数に起因する相互変調妨害信号が、第一周波数近傍であるかを検出する周波数検出手段とを備えることを特徴とする移動体受信機。
【請求項１３】
請求項１１に記載の移動体受信機であって、
前記妨害検出部は、
複数の所定エリアと前記所定エリアの各々に対応する第二周波数に起因する相互変調妨害信号の妨害周波数を対応付けて記憶する記憶手段と、
現在位置がいずれの所定エリア内にあるか検出する現在位置検出手段と、
前記現在位置が属する所定エリアに対応付けられた妨害周波数が、第一周波数近傍であるかを検出する周波数検出手段とを備えることを特徴とする移動体受信機。
【請求項１４】
請求項１１に記載の移動体受信機であって、
前記妨害検出部は、
複数の所定エリアと前記所定エリアの各々に対応する第二周波数に起因する相互変調妨害信号の妨害周波数近傍の周波数を対応付けて記憶する記憶手段と、
現在位置がいずれの所定エリア内にあるか検出する現在位置検出手段と、
前記第一周波数が前記妨害周波数の近傍であるかを検出する周波数検出手段とを備えることを特徴とする移動体受信機。
【請求項１５】
所望の第一周波数に同調して第一信号を受信し、
前記第一信号の信号レベルを検出し、
妨害信号存在エリア内か否か検出し、
前記妨害信号存在エリアであって、且つ、前記第一周波数に近傍の妨害信号が検出されずに、且つ、前記信号レベルが第一レベルに満たないとき、前記第一信号の信号レベルが増加するように前記ゲインを調整することを特徴とする移動体受信方法。
【発明の詳細な説明】
【０００１】
【発明の属する技術分野】
本発明は、移動体受信機および移動体受信処理用プログラムおよび移動体受信方法に関する。
【０００２】
【従来の技術】
カーステレオに搭載されたチューナーや、携帯型ラジオなどの移動体受信機を用いて、複数の放送局からの複数の放送周波数を送信する放送タワーＴの近傍で送信信号を受信しようとすると、放送タワーＴからの強電界の信号ＳＴによって発生した相互変調妨害信号ＳＩによって、適切な受信ができにくくなることがあった。
【０００３】
従来、上記のように強電界の信号を受けた場合に、オートゲインコントロール（以下、ＡＧＣと言う。）によって、移動体受信機のアンテナアンプのゲインを下げて、出力を一定に保つようにする制御を行っている。
【０００４】
一方、受信した電波の受信状況示す受信状況データと自己位置を示す自己データとによって自己位置を表示可能に構成した受信装置もある（例えば、特許文献１参照。）。
【特許文献１】
特開平１０−１８５５９８号公報
【０００５】
【発明が解決しようとする課題】
しかし、従来の技術によると、相互変調妨害信号による影響を受けていない場合であっても、強電界の信号を受けるだけでアンテナアンプのゲインを下げるよう制御していたため、受信を希望する信号が離れた放送タワーからの弱電界信号である場合には、受信することができなくなってしまうという問題があった。
【０００６】
そこで、本発明は現在位置を把握してゲイン調整を行い、最適な受信状態を維持する移動体受信機を提供することを目的とする。
【０００７】
【課題を解決するための手段】
上記の課題を解決するため、請求項１に記載した発明によれば、信号を受信するためのアンテナと、調整部を有するアンテナアンプと、受信した種々の信号のうち出力を希望する信号を出力するためのチューナーとを有する移動体受信機において、現在地が特定の周波数を送信する放送タワーの近傍地域であるか否かを判断するナビゲーションなどの位置情報取得手段を備え、前記調整部は、現在地が前記位置情報取得手段によって前記放送タワーの近傍地域であると判断された場合に、アンテナアンプのゲインを下げることを特徴とする。
【０００８】
上記の課題を解決するため、請求項２に記載した発明によれば、請求項１に記載の移動体受信機において、前記放送タワーから発生する相互変調妨害信号近傍の相互変調妨害周波数帯域を受信しているか否かを検知する検知手段を備え、前記調整部は、前記検知手段によって前記相互変調妨害周波数帯を受信していると検知された場合に、アンテナアンプのゲインを下げることを特徴とする。
【０００９】
上記の課題を解決するため、請求項３に記載した発明によれば、請求項２に記載の移動体受信機において、各地の放送タワーの位置情報と、該放送タワーによって送信される信号の送信周波数情報を記憶した記憶部を備え、前記位置情報取得手段は、前記位置情報に基づいて、現在地が前記放送タワーの近傍地域であるか否かを判断し、前記検知手段は、前記送信周波数情報に基づいて、前記放送タワーから発生する相互変調妨害信号近傍の相互変調妨害周波数帯域を受信しているか否かを検知することを特徴とする。
【００１０】
上記の課題を解決するため、請求項４に記載した発明によれば、信号を受信するためのアンテナと、調整部を有するアンテナアンプと、受信した種々の信号のうち出力を希望する信号を出力するためのチューナーとを有する移動体受信機を制御するコンピュータを、現在地が特定の周波数を送信する放送タワーの近傍地域であるか否かを判断するナビゲーションなどの位置情報取得手段として機能させ、前記調整部は、現在地が前記位置情報取得手段によって前記放送タワーの近傍地域であると判断された場合にはアンテナアンプのゲインを下げるように機能させることを特徴とする。
【００１１】
上記の課題を解決するため、請求項５に記載した発明によれば、請求項４に記載の移動体受信処理用プログラムにおいて、前記コンピュータを、前記放送タワーから発生する相互変調妨害信号近傍の相互変調妨害周波数帯域を受信しているか否かを検知する検知手段として機能させるとともに、前記調整部は前記検知手段によって前記相互変調妨害周波数帯を受信していると検知された場合に、アンテナアンプのゲインを下げるように機能させることを特徴とする。
【００１２】
上記の課題を解決するため、請求項６に記載した発明によれば、請求項５に記載の移動体受信処理用プログラムにおいて、前記コンピュータを、各地の放送タワーの位置情報と、該放送タワーによって送信される信号の送信周波数情報を記憶した記憶部として機能させ、前記位置情報取得手段は、前記位置情報に基づいて、現在地が前記放送タワーの近傍地域であるか否かを判断し、前記検知手段は、前記送信周波数情報に基づいて、前記放送タワーから発生する相互変調妨害信号近傍の相互変調妨害周波数帯域を受信しているか否かを検知するよう機能させることを特徴とする。
【００１３】
上記の課題を解決するため、請求項７に記載した発明によれば、所望の第一周波数に同調して第一信号を受信するアンテナなどの受信部と、前記第一信号の信号レベルを検出するチューナーなどのレベル検出部と、前記信号レベルに応じて前記第一信号のゲインを調整するアンテナアンプなどの調整部と、前記第一周波数近傍の前記妨害信号の存在を検出するチューナーなどの妨害検出部と、前記第一周波数近傍の前記妨害信号がなく、かつ、前記信号レベルが第一レベルに満たないとき、前記第一信号以外の妨害信号の有無に関わらず、前記第一信号の信号レベルが増加するように前記ゲインを調整するアンテナアンプなどの制御手段とを備えることを特徴とする。
【００１４】
上記の課題を解決するため、請求項８に記載した発明によれば、請求項７に記載の移動体受信機であって、前記制御手段が、前記第一周波数近傍の前記妨害信号があり、かつ、前記信号レベルが前記第一レベルに満たないとき、前記第一信号の信号レベルが減少するように前記ゲインを調整することを特徴とする。
【００１５】
上記の課題を解決するため、請求項９に記載した発明によれば、請求項７又は８に記載の移動体受信機であって、前記制御手段が、前記第一周波数近傍の前記妨害信号の有無に関わらず、前記信号レベルが所定レベル以上のとき、前記第一信号の信号レベルが減少するように前記ゲインを調整することを特徴とする。
【００１６】
上記の課題を解決するため、請求項１０に記載した発明によれば、請求項７乃至９に記載の移動体受信機であって、前記妨害信号とは、前記第一周波数以外の第二周波数の第二信号に起因する相互変調妨害信号であって、前記妨害検出部は、前記相互変調妨害信号の周波数が、前記第一周波数の近傍であり、且つ、前記相互変調妨害信号の信号レベルが第二レベル以上のとき、前記妨害信号を検出することを特徴とする。
【００１７】
上記の課題を解決するため、請求項１１に記載した発明によれば、請求項７乃至９に記載の移動体受信機であって、前記妨害検出部は、現在位置が放送タワーの近傍地域などの所定エリア内にあるかを検出することにより、前記第一信号以外の妨害信号の存在を検出することを特徴とする。
【００１８】
上記の課題を解決するため、請求項１２に記載した発明によれば、請求項１１に記載の移動体受信機であって、前記妨害検出部は、複数の所定エリアと前記所定エリアの各々に対応する第二周波数を対応付けて記憶する記憶部などの記憶手段と、現在位置がいずれの所定エリア内にあるか検出するナビゲーションなどの現在位置検出手段と、前記現在位置が属する所定エリアに対応付けられた第二周波数に起因する相互変調妨害信号が、第一周波数近傍であるかを検出するチューナーなどの周波数検出手段とを備えることを特徴とする。
【００１９】
上記の課題を解決するため、請求項１３に記載した発明によれば、請求項１１に記載の移動体受信機であって、前記妨害検出部は、複数の所定エリアと前記所定エリアの各々に対応する第二周波数に起因する相互変調妨害信号の妨害周波数を対応付けて記憶する記憶部などの記憶手段と、現在位置がいずれの所定エリア内にあるか検出するナビゲーションなどの現在位置検出手段と、前記現在位置が属する所定エリアに対応付けられた妨害周波数が、第一周波数近傍であるかを検出するチューナーなどの周波数検出手段とを備えることを特徴とする。
【００２０】
上記の課題を解決するため、請求項１４に記載した発明によれば、請求項１１に記載の移動体受信機であって、前記妨害検出部は、複数の所定エリアと前記所定エリアの各々に対応する第二周波数に起因する相互変調妨害信号の妨害周波数近傍の周波数を対応付けて記憶する記憶部などの記憶手段と、現在位置がいずれの所定エリア内にあるか検出するナビゲーションなどの現在位置検出手段と、前記第一周波数が前記妨害周波数の近傍であるかを検出するチューナーなどの周波数検出手段とを備えることを特徴とする。
【００２１】
上記の課題を解決するため、請求項１５に記載した発明によれば、所望の第一周波数に同調して第一信号を受信し、前記第一信号の信号レベルを検出し、妨害信号存在エリア内か否か検出し、前記妨害信号存在エリアであって、且つ、前記第一周波数に近傍の妨害信号が検出されずに、且つ、前記信号レベルが第一レベルに満たないとき、前記第一信号の信号レベルが増加するように前記ゲインを調整することを特徴とする。
【００２２】
【発明の実施の形態】
本発明に好適な実施の形態を図面に基づいて説明する。
【００２３】
図１は移動体受信機の要部概略構成図である。
【００２４】
移動体受信機の要部１００は、受信部としてのアンテナ１０１、アンテナアンプ１０２、チューナー１０３、位置情報取得手段としてのナビゲーション１０４、記憶手段としての記憶部１０５、レベル検出部および妨害検出部としての制御部１０６によって構成される。
【００２５】
アンテナ１０１は、放送タワーからの信号を受信するためのものである。尚、放送局は１つの周波数を放送する局であり、放送タワーは複数の放送局からの放送電波を送信する、即ち、複数の周波数からの複数の放送信号を送信するタワーである。
【００２６】
アンテナアンプ１０２は、アンテナ１０１による受信信号の増幅を行うためのものであり、受信信号のゲインを調節するための調整部としてのゲイン調節部１０２ａを備えている。
【００２７】
チューナー１０３は、テレビチューナーやＡＭ／ＦＭチューナーなどであり、受信した信号のうち、所望の信号を選択して出力するためのものである。
【００２８】
ナビゲーション１０４は、記憶部１０５に記憶した全国の放送タワーの位置情報によって放送タワーと移動体受信機の位置を把握するためのものである。なお、放送タワーと移動体受信機の位置情報が把握できれば、ナビゲーションには限られず、ＧＰＳなどでもよい。
【００２９】
記憶部１０５は、全国の放送タワーの位置情報と、該放送タワーによって送信される信号の送信周波数情報を記憶している。
【００３０】
制御部１０６はこれら各部の動作を制御するためのものである。
【００３１】
図２は各種周波数とその強度を示す説明図であり、図３は一の周波数の信号ＳＴを送信する放送局のサービスエリアと放送タワー近傍地域を示す説明図である。
【００３２】
図３中、放送タワーから送信される一の周波数の信号ＳＴを送信する放送局のサービスエリアＡは、放送タワーＴからの一の周波数の信号ＳＴを一定の強度を保って受信することが可能な地域である。
【００３３】
放送タワーＴの近傍地域Ｘは、放送タワーＴの周囲数百メートルから数キロメートルであり、放送タワーからの信号ＳＴを高い強度で受信することが可能であり、この放送タワーからの信号ＳＴによって発生する相互変調妨害信号ＳＩの影響を受けやすい地域である。そのため、この放送タワーＴの近傍地域Ｘ内では、アンテナアンプ１０２のゲインを低く設定して、相互変調妨害信号ＳＩの影響を抑えることが必要である。
【００３４】
また、実際に相互変調妨害信号ＳＩの影響を受けるのは、チューナー１０３によって選択されて出力する信号が相互変調妨害信号ＳＩ近傍の相互変調妨害周波数帯Ｂ内である場合である。
【００３５】
ここで、記憶部１０５は、複数の所定エリアとしての全国の放送タワーＴの近傍地域Ｘと、その放送タワーＴから送信される信号の送信周波数とを記憶している。例えば、放送タワーＴからの一の送信周波数がｆ１、ｆ２である場合には、相互変調妨害信号ＳＩの周波数は２ｆ１−ｆ２、２ｆ２−ｆ１、３ｆ１−２ｆ２、３ｆ２−２ｆ１などで求められるため、この相互変調妨害信号ＳＩを中心にあらかじめ定められた周波数幅をもった相互変調妨害周波数帯Ｂも求めることができる。よって、チューナー１０３によって選択されて出力する信号が相互変調妨害信号ＳＩ近傍の相互変調妨害周波数帯Ｂ内であるか否かを判別すれば、チューナー１０３が相互変調妨害信号ＳＩを受信しているか否かを判定することができる。
【００３６】
つまり、現在地が放送タワーＴの近傍地域Ｘ内であっても、チューナー１０３が相互変調妨害信号ＳＩを受信しているときにのみ、アンテナアンプ１０２のゲインを低く設定して、相互変調妨害信号ＳＩの影響を抑えればよい。
【００３７】
次に、移動体受信機の動作について図４に示すフローチャートを用いて説明する。
【００３８】
まず、移動体受信機が放送タワーＴの近傍地域Ｘ内にあるか否かを判定する（ステップＳ１）。移動体受信機に備えられたナビゲーション１０４によって現在の移動体受信機の位置が、放送タワーＴの近傍か否かを判断する。
【００３９】
ステップＳ１で、移動体受信機が放送タワーＴの近傍地域Ｘになかった場合には（ステップＳ１：Ｎｏ）、放送タワーからの信号ＳＴが強くないので、アンテナアンプ１０２のゲインを高く設定する（ステップＳ２）。アンテナアンプ１０２のゲインを高くすることにより、放送タワーＴからの信号ＳＴだけでなく、例えば現在地から遠く離れた放送タワーからの弱電界の信号ＳＱをチューナー１０３によって選択して出力している際などでも確実に受信することができる。
【００４０】
他方、移動体受信機が放送タワーＴの近傍地域Ｘ内にある場合には（ステップＳ１：Ｙｅｓ）、放送タワーＴからの相互変調妨害周波数ＳＩをチューナー１０３が受信しているか否かを移動体受信機に備えられた制御部１０６によって判定する（ステップＳ３）。
【００４１】
判定の結果、放送タワーＴからの相互変調妨害周波数ＳＩをチューナー１０３が受信していない場合には（ステップＳ３：Ｎｏ）、アンテナアンプ１０２のゲインを高く設定する（ステップＳ２）。相互変調妨害信号ＳＩの影響が無いのでゲインを低くする必要はなく、ゲインを高く設定して弱電界の信号ＳＱも良好に受信するためである。
【００４２】
他方、放送タワーＴからの相互変調妨害周波数ＳＩをチューナー１０３が受信している場合には（ステップＳ３：Ｙｅｓ）、アンテナアンプ１０２のゲインを低く設定する（ステップＳ４）。相互変調妨害信号ＳＩの影響を抑えるためである。
【００４３】
なお、放送タワーＴの近傍地域である場合には、相互変調妨害信号ＳＩが発生しやすいため、図５に示すフローチャートに示す如く、放送タワーの近傍地域であるか否かのみを判断して、近傍地域であった場合にアンテナアンプ１０２のゲインを低く設定することも可能である。
【００４４】
また、相互変調妨害を受けない周波数をチューナー１０３によって選択している場合は、アンテナアンプ１０２のゲインを高くすることができる。
【００４５】
以上説明した本実施の形態によれば、移動体受信機が放送タワーＴの近傍地域Ｘ内であり、かつ、放送タワーＴからの相互変調妨害周波数ＳＩをチューナー１０３が受信しているときにのみ、アンテナアンプ１０２のゲインを低く設定し、それ以外のときにはアンテナアンプ１０２のゲインを高く設定している。このため、相互変調妨害信号ＳＩの影響がない場合には、遠く離れた放送タワーからの弱電界の信号ＳＱも確実に受信することが可能である。
【００４６】
また、チューナー１０３は受信した信号のうち第一信号などの一の信号の周波数に同調して、出力を所望する信号を選択するが、周波数がこの同調している一の信号が有する周波数近傍である第二信号などの信号はすべて妨害信号として定義可能である。つまり、妨害信号は相互変調妨害信号に限られず、チューナー１０３によって選択された信号以外の信号であって、その周波数がチューナー１０３によって選択された信号が有する周波数近傍である信号は、すべて妨害信号であるとする場合であっても、本発明は実施可能である。
【００４７】
また、記憶部１０５には全国の放送タワーの送信周波数が記憶されており、この送信周波数に基づいて、相互変調妨害信号ＳＩの中心周波数からあらかじめ定められた周波数幅をもった相互変調妨害周波数帯Ｂを決定して、チューナー１０３が相互変調妨害信号ＳＩを受信しているか否かを制御部１０６によって判定しているが、これには限られず、あらかじめ相互変調妨害信号ＳＩなどの妨害信号の周波数を記憶部１０５に記憶しておき、チューナー１０３がこの妨害信号を受信しているか否かを、妨害検出部としての制御部１０６によって判定してもよい。
【００４８】
この場合において、チューナー１０３によって選択されている信号のレベルをレベル検出部としての制御部１０６によって検出し、その信号レベルが大きければ、妨害信号のレベルが大きくても妨害されず、チューナー１０３によって選択されている信号のレベルが小さい場合には、妨害信号のレベルが小さくても妨害されるため、妨害信号のレベルに基づいて判断する場合には、チューナー１０３によって選択されている信号との相対的な判断を行うことも可能である。
【００４９】
例えば、チューナー１０３によって選択されている信号のレベルが３０ｄＢμＶであれば、第二レベルとしての妨害信号のレベルが１０〜２０ｄＢμＶ以上である場合に妨害され、チューナー１０３によって選択されている信号のレベルが６０ｄＢμＶであれば、妨害信号のレベルが３０〜４０ｄＢμＶ以上である場合に妨害されることになる。
【００５０】
この場合において、妨害信号を受信しているか否かにかかわらず、前記アンテナアンプ１０２は、チューナー１０３によって選択されている信号のレベルが出力するのに適切な第一レベルとしてのレベル（例えば、約６０ｄＢ）に達していないときにはゲインを増加するように調節してもよい。ゲインを増加することにより、妨害信号の影響が大きくなってしまう場合であっても、チューナー１０３によって選択されている信号のレベルを大きくした方が信号が聞き取りやすい場合があるからである。
【００５１】
例えば、チューナー１０３によって選択されている信号のレベルが出力するのに適切な第一レベルとしてのレベル（例えば、約６０ｄＢ）に満たないときであっても、妨害信号を受信しているときには、ゲインを減少するように調節してもよい。妨害信号の影響をできるだけ少なくした方がチューナー１０３によって選択されている信号が聞き取りやすい場合があるからである。
【００５２】
さらにその他の例として、さらには、チューナー１０３によって選択されている信号のレベルが非常に大きければ、妨害信号のレベルにかかわらず、一律にアンテナアンプ１０２のゲインを減少させるよう調節してもよい。
【００５３】
例えば、チューナー１０３によって選択されている信号のレベルが１００ｄＢμＶであって、妨害信号のレベルが５０ｄＢμＶである場合にゲインを一律に４０ｄＢμＶ減少させても、チューナー１０３によって選択されている信号のレベルと妨害信号のレベルがそれぞれ６０ｄＢμＶ、１０ｄＢμＶとなって、妨害信号のレベルは十分小さくなり、かつ、ゲインを減少してもなおチューナー１０３によって選択されている信号のレベルが出力するのに適正なレベルであるからである。
【００５４】
さらに、移動体受信機に備えられたナビゲーション１０４によって現在の移動体受信機の位置が、放送タワーＴの近傍か否かを判断して、アンテナアンプ１０２のゲインを調節しているが、チューナー１０３によって選択されている信号のレベルが第一レベルとしての所定レベル（例えば、約６０ｄＢ）に達しているか否かを制御部１０６の制御に基づいて判断することによりアンテナアンプ１０２のゲインを調節してもよい。なお、所定レベルは通常アンテナの性能で決定される。
【００５５】
さらに、移動体受信機に備えられた位置情報取得手段としてのナビゲーション１０４によって現在の移動体受信機の位置が、放送タワーＴの近傍か否か（放送タワーの近傍地域内か否か）を記憶部１０５に記憶した位置情報に基づいてアンテナアンプ１０２のゲインを増減させる前述の実施の形態において説明した動作と組み合わせてもよく、妨害信号のレベルが所定レベルに達しているか否か、あるいは、チューナー１０３によって選択されている信号が所定レベル以上であるか否か等の判断に基づいて、制御部１０６の制御に基づいてアンテナアンプ１０２のゲインの増減を判断してもよい。
【００５６】
この場合において、記憶部１０５には、全国の放送タワーの位置情報と、該放送タワーによって送信される信号の送信周波数情報と、をあらかじめ格納する。
【００５７】
この記憶部１０５に格納したデータに基づいて妨害信号の周波数がチューナー１０３によって選択されている信号の周波数近傍であるか否かを制御部１０６の制御に基づいて判断することが可能である。
【００５８】
例えば、現在位置が放送タワーの近傍であって、チューナー１０３によって選択されている信号のレベルが所定のレベルに満たない場合において、妨害信号が検出されない場合に限り、アンテナアンプ１０２のゲインを増加させるよう制御してもよい。なお、この場合において相互変調妨害信号の周波数情報も記憶部１０５にあらかじめ格納しておいてもよい。
【００５９】
さらに、チューナー１０３にて選択されて出力している信号が有する周波数と、妨害信号が有する周波数との差が所定値内であるか否かに基づいてゲインを調節することも可能である。妨害信号がチューナー１０３の受信帯域に入る程度にチューナー１０３にて選択されて出力している信号が有する第一周波数としての周波数の近傍であった場合であっても、周波数差があれば妨害の影響を受けることがない場合もあるからである。
【００６０】
この差は、チューナー１０３の帯域フィルタ（セラミックフィルタ）の幅にもよるが、通常ＦＭの場合は約±２００ＫＨｚ程度であり、テレビ周波数の場合は、映像は中心周波数から約＋４ＭＨｚ、約−１ＭＨｚ、音声は約±２００ＫＨｚなどである。
【図面の簡単な説明】
【図１】移動体受信機の要部概略構成図である。
【図２】各種周波数とその強度を示す説明図である。
【図３】放送タワー近傍地域を示す説明図である。
【図４】実施の動作を示すフローチャートである。
【図５】実施の動作を示すフローチャートである。
【符号の説明】
１００  移動体受信機の要部
１０１  アンテナ
１０２  アンテナアンプ
１０２ａ  ゲイン調節部
１０３  チューナー
１０４  ナビゲーション
１０５  記憶部
１０６  制御部
Ｔ  放送タワー
Ａ  放送タワーから送信される一の周波数のサービスエリア
Ｘ  放送タワーの近傍地域
Ｂ  相互変調妨害周波数帯
ＳＱ  弱電界の信号
ＳＴ  放送タワーＴからの信号
ＳＩ  相互変調妨害信号
【図１】
2004165786.tif 000003
【図２】
2004165786.tif 000004
【図３】
2004165786.tif 000005
【図４】
2004165786.tif 000006
【図５】
2004165786.tif 000007